(57)【要約】【課題】  可能な限り電子部品や電子回路がモジュール化されたＬＥＤ駆動装置を提供することを目的とする。【解決手段】  本発明のＬＥＤを駆動するためのＬＥＤ駆動装置１００は、交流電圧を直流電圧に変換するＡＣ／ＤＣコンバータ１２０と、ＡＣ／ＤＣコンバータ１２０によって変換された直流電圧を降圧し所望の直流電圧に変換するＤＣ／ＤＣコンバータ１３０とを含み、ＡＣ／ＤＣコンバータ１２０およびＤＣ／ＤＣコンバータ１３０は、１つのパッケージ内にモジュール化されている。【選択図】  図２
2011023440.tif 000002
【特許請求の範囲】
【請求項１】
ＬＥＤを駆動するためのＬＥＤ駆動装置であって、
交流電圧を直流電圧に変換する第１のコンバータと、
第１のコンバータによって変換された直流電圧を所望の直流電圧に変換する第２のコンバータとを含み、
第２のコンバータは、降圧型のＤＣ／ＤＣコンバータを含み、
ＤＣ／ＤＣコンバータは、制御回路と、制御回路からの信号に応答してオン・オフのスイッチングをするトランジスタと、トランジスタに直列に接続されるインダクタと、インダクタの出力側に接続されたコンデンサとを含み、
前記制御回路は、ＬＥＤの駆動電流を可変する駆動電流調整部を含む、
ＬＥＤ駆動装置。
【請求項２】
前記駆動電流調整部は、前記制御回路の外部から供給された信号に応じてＬＥＤの駆動電流を可変する、請求項１に記載のＬＥＤ駆動装置。
【請求項３】
前記駆動電流調整部は、ＤＣ／ＤＣコンバータに入力される直流電圧に応じてＬＥＤの駆動電流を可変する、請求項１に記載のＬＥＤ駆動装置。
【請求項４】
前記駆動電流調整部は、ＬＥＤの駆動電流を選択するための参照テーブルを記憶したメモリを含む、請求項１ないし３いずれか１つに記載のＬＥＤ駆動装置。
【請求項５】
第１および第２のコンバータは、１つのパッケージ内にモジュール化されている、１ないし４いずれか１つに記載のＬＥＤ駆動装置。
【請求項６】
モジュール化されたパッケージは、第１のコンバータに電力を供給するための入力端子と、ＬＥＤに電力を供給するための出力端子とを含む、請求項５に記載のＬＥＤ駆動装置。
【請求項７】
第１のコンバータは、交流電圧を直流電圧に変換するダイオードブリッジと、ダイオードブリップに接続されたコンデンサとを含む、請求項１に記載のＬＥＤ駆動装置。
【請求項８】
モジュール化されたパッケージは、外付けコンデンサを含まない、請求項１ないし７いずれか１つに記載のＬＥＤ駆動装置。
【発明の詳細な説明】
【技術分野】
【０００１】
本発明は、ＬＥＤ（light emit diode）を駆動するためのＬＥＤ駆動装置に関し、特に、ＡＣ／ＤＣコンバータやＤＣ−ＤＣコンバータなどの電子回路や電子部品をモジュール化したＬＥＤ駆動装置に関する。
【背景技術】
【０００２】
ＬＥＤは、既存の発熱電球などの照明装置と比較して、消費電力が小さく、節電効果が大きいため、実用化が急速に進んでいる。例えば、ＬＥＤを用いた照明装置は、オフィスや居住空間に用いられる室内灯に利用されつつある。
【０００３】
特許文献１は、図１に示すように、交流電源１を直流電圧に変換して出力する直流電源装置２と、直流電圧の駆動により点灯されるＬＥＤ素子を実装したＬＥＤモジュール部３とから構成されるＬＥＤ照明装置を開示している。ＬＥＤをモジュール化することで、発光部分の薄型化、小型化、高出力化を図り、ＬＥＤ点灯に適した電源装置を提供している。また、特許文献２は、回路要素の数を効果的に減らしたＬＥＤドライバを開示している。
【先行技術文献】
【特許文献】
【０００４】
【特許文献１】特開２００５−１４２１３７号
【特許文献２】特開２００８−１１８０８９号
【発明の概要】
【発明が解決しようとする課題】
【０００５】
従来のＬＥＤ駆動装置は、特許文献１に示すように（図１を参照）、直流電源装置２を含み、直流電源装置２は、交流を直流に整流する整流ブリッジＤＢ、コンデンサＣＤ、直流電圧変換回路２１を含んできる。これらの電子回路や電子部品は、モジュール化されていないため、部品点数が多くなり、ＬＥＤ駆動装置の低コストの障害になり得る。さらに、モジュール化されていないＬＥＤ駆動装置は、電子部品や集積回路チップの実装のために大きな占有空間を必要とし、ＬＥＤ駆動装置やこれを用いた照明装置の小型化、軽量化、薄型化の妨げになる。
【０００６】
また、白熱灯はフィラメント抵抗を有し、入力電圧によって調光をすることができるが、ＬＥＤの調光は、出力電流に依存する。このため、既存の調光システムに、ＬＥＤ駆動回路を適用しても、ＬＥＤの調光を簡易に行うことができないという課題もある。
【０００７】
本発明は、このような従来の課題を解決し、ＬＥＤの駆動に適した電子部品や電子回路を含むＬＥＤ駆動装置を提供することを目的とする。
さらに本発明は、ＬＥＤの駆動に適した電子部品や電子回路をモジュール化したＬＥＤ駆動装置を提供することを目的とする。
【課題を解決するための手段】
【０００８】
本発明に係るＬＥＤを駆動するためのＬＥＤ駆動装置は、交流電圧を直流電圧に変換する第１のコンバータと、第１のコンバータによって変換された直流電圧を所望の直流電圧に変換する第２のコンバータとを含み、第２のコンバータは、降圧型のＤＣ／ＤＣコンバータを含み、ＤＣ／ＤＣコンバータは、制御回路と、制御回路からの信号に応答してオン・オフのスイッチングをするトランジスタと、トランジスタに直列に接続されるインダクタと、インダクタの出力側に接続されたコンデンサとを含み、前記制御回路は、ＬＥＤの駆動電流を可変する駆動電流調整部を含む。
【０００９】
好ましくは前記駆動電流調整部は、前記制御回路の外部から供給された信号に応じてＬＥＤの駆動電流を可変する。好ましくは前記駆動電流調整部は、ＤＣ／ＤＣコンバータに入力される直流電圧に応じてＬＥＤの駆動電流を可変する。好ましくは前記駆動電流調整部は、ＬＥＤの駆動電流を選択するための参照テーブルを記憶したメモリを含む。好ましくは第１および第２のコンバータは、１つのパッケージ内にモジュール化されている。好ましくはモジュール化されたパッケージは、第１のコンバータに電力を供給するための入力端子と、ＬＥＤに電力を供給するための出力端子とを含む。好ましくは第１のコンバータは、交流電圧を直流電圧に変換するダイオードブリッジと、ダイオードブリップに接続されたコンデンサとを含む。好ましくはモジュール化されたパッケージは、外付けコンデンサを含まない。
【発明の効果】
【００１０】
本発明によれば、第２のコンバータの制御回路がＬＥＤの駆動電流を可変する駆動電流調整部を有することで、簡易な構成にてＬＥＤを調光することができる。さらに、ＬＥＤ駆動装置をモジュール化することで、ＬＥＤ駆動装置の製造コストを低減することができ、かつ、ＬＥＤ駆動装置およびこれを用いた照明装置の小型化、薄型化を図ることができる。
【図面の簡単な説明】
【００１１】
【図１】従来のＬＥＤ駆動装置の構成を示す図である。
【図２】本発明の第１の実施例に係るＬＥＤ駆動装置の構成を示すブロック図である。
【図３】ＬＥＤ駆動装置の典型的な回路構成を示す図である。
【図４】本発明の第２の実施例に係るＬＥＤ駆動装置の機能ブロック図である。
【図５】本発明の第２の実施例に係るＬＥＤ駆動装置の動作フローの一例である。
【図６】本発明の第２の実施例で用いられる不揮発性メモリに記憶された参照テーブルの例である。
【図７】本発明の第３の実施例に係るＬＥＤ駆動装置の動作フローの一例である。
【図８】第３の実施例で用いられる不揮発性メモリに記憶された参照テーブルの例である。
【図９】本発明の第４の実施例に係るＬＥＤ駆動装置の構成を示すブロック図である。
【図１０】本発明の第５の実施例に係るＬＥＤ駆動装置の構成を示すブロック図である。
【図１１】本発明の実施例のＬＥＤ駆動装置を適用したＬＥＤ照明装置の概略を示す断面図である。
【図１２】本発明の実施例に係るＬＥＤ駆動装置のモジュール化されたパッケージの構成例を示す図である。
【発明を実施するための形態】
【００１２】
本発明の最良の実施の形態について図面を参照して詳細に説明する。ここでは、典型的にＬＥＤを点灯させるためのＬＥＤ駆動装置の例を説明する。
【実施例】
【００１３】
図２は、本発明の第１の実施例に係るＬＥＤ駆動装置の構成を示すブロック図である。本実施例のＬＥＤ駆動装置１００は、入力インターフェース１１０、ＡＣ／ＤＣ（交流／直流）コンバータ１２０、ＤＣ／ＤＣ（直流／直流）コンバータ１３０、出力インターフェース１４０をモジュール化して構成される。入力インターフェース１１０は、入力電源とＡＣ／ＤＣコンバータ１２０との間の電気的な接続を提供し、例えば、１００ボルトの交流電源が入力インターフェース１１０に接続されたとき、ＡＣ／ＤＣコンバータ１２０に１００ボルトの交流電源が供給される。
【００１４】
ＡＣ／ＤＣコンバータ１２０は、入力された交流電圧を直流電圧に変換するものであり、例えば、ダイオードフルブリッジあるいはダイオードハーフブリッジから構成される。
ＤＣ／ＤＣコンバータ１３０は、ＡＣ／ＤＣコンバータ１２０で整流された直流電圧を入力し、入力された直流電圧をＬＥＤの駆動に適した直流電圧に降圧する。出力インターフェース１４０は、ＤＣ／ＤＣコンバータ１３０とＬＥＤランプ２００との間の電気的な接続を提供し、例えば、ＤＣ／ＤＣコンバータ１３０で降圧された１２Ｖの直流電圧がＬＥＤランプ２００に供給される。
【００１５】
次に、ＬＥＤ駆動回路の典型的な回路構成を図３（ａ）、（ｂ）に示す。図３（ａ）に示すように、入力インターフェース１１０は、外部からの交流電源を入力する入力端子を含む。ＡＣ／ＤＣコンバータ１２０は、入力インターフェース１１０を介して入力された交流電圧を直流電圧に変換するためのダイオードブリッジ１２２と、変換された直流電圧を平滑化するためのコンデンサＣ１とを含む。
【００１６】
降圧型のＤＣ／ＤＣコンバータ１３０は、ＡＣ／ＤＣコンバータ１２０の出力端に直列に接続されたスイッチング素子としてのＭＯＳＦＥＴ型のトランジスタＱ１と、トランジスタＱ１と基準電位Ｇ(ＧＮＤ)間に接続されたスイッチング素子としてのＭＯＳＦＥＴ型のトランジスタＱ２と、トランジスタＱ１に一端が直列に接続されたインダクタＬと、インダクタＬの出力側の他端と基準電位間に接続されたコンデンサＣ２と、トランジスタＱ１、Ｑ２のスイッチングを制御する制御回路１３２とを含んでいる。
【００１７】
出力インターフェース１４０は、ＤＣ／ＤＣコンバータ１３０の出力に接続された出力端子Ｖｏｕｔを含み、出力端子Ｖｏｕｔには、負荷すなわちＬＥＤランプ２００が接続される。
【００１８】
トランジスタＱ１、Ｑ２は、例えば、シリコン基板表面に形成されたＭＯＳトランジスタ、バイポーラトランジスタ、あるいはＧａＮ系化合物で形成されたトランジスタである。トランジスタＱ１、Ｑ２のゲートには、制御回路１３２からの制御信号としてパルス幅変調信号(ＰＷＭ信号)が入力され、このＰＷＭ信号によりトランジスタＱ１、Ｑ２のオン・オフが制御される。すなわち、トランジスタＱ１、Ｑ２は、相補的に駆動される。トランジスタＱ１、Ｑ２がＧａＮ系化合物トランジスタであるとき、そのスイッチング周波数を例えば数十ＭＨｚ程度まで高く設定することができる。ＤＣ／ＤＣコンバータ１３０の出力電圧をＥｏｕｔ、入力電圧をＥｉｎ、ＰＷＭ信号のデューティをＤとしたとき、Ｅｏｕｔ＝Ｅｉｎ×Ｄで表される。図３（ｂ）は、トランジスタＱ２をダイオードを置換した等価回路を示している。
【００１９】
次に、本発明の第２の実施例について説明する。図４に、第２の実施例に係るＬＥＤ駆動装置のＤＣ／ＤＣコンバータ１３０Ａの機能的な構成を示す。同図に示すように、ＤＣ／ＤＣコンバータ１３０Ａは、制御回路１３２Ａを備え、制御回路１３２Ａは、トランジスタ駆動部１５０、電流供給部１５２、入力電圧監視部１５４、不揮発性メモリ１５６、プログラムメモリ１５８および入力部１６０を含んでいる。制御回路１３２Ａは、例えば、マイクロコンピュータ、マイクロプロセッサ、中央処理装置などの半導体集積回路を用いて構成することができる。
【００２０】
プログラムメモリ１５８は、ＤＣ／ＤＣコンバータの動作に必要なプログラムを格納し、制御回路１３２Ａは、これらのプログラムを実行し、各部を制御する。トランジスタ駆動部１５０は、トランジスタＱ１、Ｑ２のスイッチング動作を制御するためのＰＷＭ信号を生成する。電流供給部１５２は、出力側に接続されるＬＥＤランプ２００の駆動電流を調整する。入力電圧監視部１５４は、ＤＣ／ＤＣコンバータの入力直流電圧を監視する。不揮発性メモリ１５６は、ＬＥＤランプ２００の駆動電流を選択するときに参照されるテーブルなどの情報を記憶する。入力部１６０は、入力インターフェース１１０または出力インターフェース１４０からアクセスすることが可能であり、例えば図１２に示す入力または出力端子、あるいは入出力が割り当てられていない端子から制御回路１３２Ａへの信号の印加を可能にする。
【００２１】
次に、第２の実施例に係るＬＥＤランプの動作を図５のフローチャートを参照して説明する。制御回路１３２Ａは、入力部１６０から一定条件の信号が印加されたか否かを監視する（ステップＳ１０１）。例えば、図１２に示すモジュールの特定の入力または出力端子に、通常で使用されないような高電圧（通常の動作電圧が５Ｖのとき、１０Ｖの電圧）または極性の異なる電圧（通常の電圧が正の電圧のとき負の電圧）が印加されたとき、あるいは複数の端子に通常使用されない論理の組合せの信号が印加されたとき、制御回路１３２Ａは、駆動電流設定モードが入力されたと判定し、駆動電流設定モードのためのプログラムを実行する（ステップＳ１０２）。
【００２２】
制御回路１３２Ａは、駆動電流設定モードになると、入力部１６０、例えば入力または出力インターフェース１１０、１４０から、ＬＥＤランプ２００の駆動電流に関する電流値が入力されたか否かをを監視する（ステップＳ１０３）。すなわち、ユーザは、駆動電流設定モードにおいて、ＬＥＤランプ２００の定格電流または所望の駆動電流を外部から設定することが可能になる。制御回路１３２Ａは、電流値が入力されると、不揮発性メモリ１５６に記憶されていた電流値の書き換えを行い（ステップＳ１０４）、これにより、駆動電流の設定が終了される（ステップＳ１０５）。他方、電流値の入力が一定期間内にされなかった場合には、不揮発性メモリ１５６の電流値の書き換えは行われず、駆動電流の設定モードは終了される（ステップＳ１０５）。
【００２３】
電流供給部１５２は、不揮発性メモリ１５６に記憶された電流値に基づきＬＥＤランプ２００の駆動電流を調整する。電流供給部１５２は、例えば、トランジスタＱ１またはＱ２のドレインに供給される電流値を調整する。これにより、ＬＥＤランプは、定格電流で駆動され、あるいはユーザの所望の明るさで駆動される。
【００２４】
上記の例では、ユーザが電流値を外部から入力する例を示したが、これに限らず、例えば、図６に示すような参照テーブルを不揮発性メモリ１５６に用意しておき、ユーザは、そこからＬＥＤの定格駆動電流を選択するためのビットデータを入力してもよい。電流供給部１５２は、選択された定格駆動電流をＬＥＤランプ２００に供給することができる。このように第２の実施例によれば、ＬＥＤランプの定格等に応じた駆動電流を簡単に設定することができ、従って、種々の定格をもつＬＥＤランプに適応したＬＥＤ駆動装置を提供しあり、ユーザの嗜好に適した明るさでＬＥＤランプを駆動させるＬＥＤ駆動装置を提供することができる。
【００２５】
また、上記の例では、外部の入出力端子を介して不揮発性メモリに記憶された電流値を書き換える例を示したが、これ以外に、ＲＯＭライターを用いてメモリの電流値や参照テーブルの書き換え等を行うことも可能である。
【００２６】
次に、本発明の第３の実施例について図７の動作フローを参照して説明する。第３の実施例では、入力直流電圧に応じてＬＥＤランプの調光を行うものである。まず、制御回路１３２Ａは、入力電圧監視部１５４を介してＤＣ／ＤＣコンバータの入力直流電圧を検出する（ステップＳ２０１）。制御回路１３２Ａは、入力直流電圧に変化があると（ステップＳ２０２）、その変化量がしきい値以上であるか否かを判定する（ステップＳ２０３）。制御回路１３２Ａは、変化量がしきい値以上と判定すると、入力直流電圧に応じた駆動電流を設定し（ステップＳ２０４）、電流供給部１５２は、設定された駆動電流をＬＥＤランプ２００へ供給する。
【００２７】
好ましくは、不揮発性メモリ１５６は、図８に示すような入力直流電圧Ｖｉｎと駆動電流との対応関係を規定した参照テーブルを有し、制御回路１３２Ａは、検出された入力直流電圧Ｖｉｎ（Ｖ１〜Ｖ５）に応じた駆動電流Ｃ１〜Ｃ４を選択し、選択された駆動電流を電流供給部１５２から出力させるようにしてもよい。このように第２の実施例によれば、入力直流電圧が低下したとき、それに応じて駆動電流を低下させ、反対に入力直流電圧が増加したとき、それに応じて駆動電流を増加させることで、入力直流電圧に応じたＬＥＤランプの調光を行うことができる。なお、図８に示すような参照テーブルは、例えばＲＯＭライターを用いて不揮発性メモリに書き込むようにしてもよい。
【００２８】
白熱灯の調光は、入力電圧を調整して行われるのに対して、ＬＥＤの調光は、出力電流に依存する。従って、白熱灯の調光システムに、従来のＬＥＤ駆動装置をそのまま適用しても、ＬＥＤの調光を行うことができない。本実施例のようにＤＣ／ＤＣコンバータの入力電圧に応答してＬＥＤの出力電流を可変するようにすることで、本実施例のＬＥＤ駆動装置を、既存の白熱灯の調光システムに適用することが可能になる。
【００２９】
次に、本発明の第４の実施例について説明する。図９は、第４の実施例に係るＬＥＤ駆動装置の構成を示す図である。第４の実施例に係るＬＥＤ駆動装置１００Ａは、入力インターフェース１１０、降圧型のＤＣ／ＤＣコンバータ１３０、出力インターフェース１４０をモジュール化するものである。入力インターフェース１１０は、例えば、ＡＣ／ＤＣコンバータ１２０からの直流電圧を入力し、これをＤＣ／ＤＣコンバータ１３０へ提供する。ＤＣ／ＤＣコンバータ１３０は、入力された直流電圧を所望の直流電圧に降圧し、出力インターフェース１４０は、降圧された直流電圧をＬＥＤランプ２００へ出力する。第２の実施例によれば、外部電源として直流電圧を入力することが可能な環境において実用的であり、かつ第１の実施例に比べて、モジュール化される電子部品または集積回路チップが減少するため、ＬＥＤ駆動装置の小型化、軽量化、薄型化をより図ることができる。
【００３０】
次に、本発明の第５の実施例について説明する。図１０は、第５の実施例に係るＬＥＤ駆動装置の構成を示す図である。第５の実施例は、ＬＥＤ駆動装置１００Ｂが、ＬＥＤランプ２００をモジュールに包含する。１つのモジュール内に、ＬＥＤ駆動装置とＬＥＤランプが１つにモジュール化されることで、一層の小型化、軽量化を図ることが可能になる。
【００３１】
図１１は、本実施例のＬＥＤ駆動装置を用いたＬＥＤ照明装置の構成例を示している。ＬＥＤ照明装置５００は、家庭またはオフィスなどに設置された既存のソケットに接続される円筒状の電極部５１０と、電極部５１０に取り付けられた中空のガラス封止体５２０とを有する。ガラス封止体５２０内の空間５２２には、本実施例のモジュール化されたＬＥＤ駆動装置１００と、複数のＬＥＤが搭載されたＬＥＤランプ２００とが配置される。
【００３２】
ＬＥＤ駆動装置１００は、空間５２２の底部に収容される大きさ、形状にモジュール化され、その入力インターフェース１１０は、電極部５１０に電気的に接続される。ＬＥＤランプ２００は、ＬＥＤ駆動装置１００から供給された直流電圧によって駆動され、空間５２２内で発光する。発光された光は、ガラス封止体５２０と透過して外部を照射する。ＬＥＤからの出射光は、広がり角が比較的小さいので、ガラス封止体５２０にレンズ機能を持たせ、ＬＥＤの出射光が拡散されるようにしてもよい。
【００３３】
図１２は、本実施例のＬＥＤ駆動装置をモジュール化したときのパッケージの概略断面図である。図１２（ａ）は、表面実装型のＢＧＡパッケージ３００を示している。ＢＧＡパッケージ３００は、基板３１０と、基板３１０上に実装された複数の電子部品または集積回路チップ３２０（図面では、３つの電子部品または集積回路チップが例示されている）と、基板３１０上の電子部品や集積回路チップを封止する樹脂３３０と、基板３１０の底面に形成された導電性ボール（はんだボール）３４０とを有している。
【００３４】
ある１つの集積回路チップ３２０は、例えば、ＡＣ／ＤＣコンバータ１２０のための電子回路や電子部品を構成し、ある１つの集積回路チップ３２０は、例えば、ＤＣ／ＤＣコンバータ１３０のための電子回路や電子部品を構成することができる。あるいは、１つの集積回路チップ３２０は、ＡＣ／ＤＣコンバータ１２０とＤＣ／ＤＣコンバータの双方を構成することも可能である。また、ＤＣ／ＤＣコンバータ１３０の制御回路１３２とトランジスタＱ１、Ｑ２は、１つの集積回路チップ３２０に形成されてもよいし、トランジスタＱ１、Ｑ２と制御回路１３２は個別の集積回路チップに形成されてもよい。
【００３５】
さらに、電子部品３２０は、ＡＣ／ＤＣコンバータ１２０の出力側のコンデンサＣ１であったり、ＤＣ／ＤＣコンバータ１３０の出力側のコンデンサＣ２やインダクタＬであることができる。コンデンサは、例えば、電解コンデンサ、フィルムコンデンサを用いることが可能である
【００３６】
基板上に実装された集積回路チップや電子部品３２０は、ボンディングワイヤなどの接続手段により基板３１０上に形成された配線パターンに電気的に接続される。配線パターンは、基板に形成された貫通孔を介して導電性ボール３４０に電気的に接続される。選択された導電性ボール３４０は、入力インターフェースを構成し、それは、交流電源に接続される。他の選択された導電性ボール３４０は、出力インターフェースを構成し、それは、ＬＥＤランプ２００に接続される。
【００３７】
図１２（ｂ）は、集積回路チップまたは電子部品３２０が積層された構成のパッケージ３００Ａを示している。基板３１０上に実装された集積回路チップ３２０上に、他の集積回路チップまたは電子部品３２０ａ、３２０ｂ、３２０ｃを搭載するようにしてもよい。
【００３８】
図１２（ｃ）は、複数のパッケージを積層するＰＯＰ（Package on Package）の構成を示している。同図に示すパッケージ４００は、２つのパッケージを積層する。下部のパッケージは、基板４１０上に集積回路チップ４２０を実装し、集積回路チップ４２０は樹脂４３０によって封止され、基板４１０の底面に複数の導電性ボール４４０が設けられている。上部パッケージは、基板４１２上に、複数の集積回路チップまたは電子部品４２２を実装し、これらの集積回路チップまたは電子部品４２２は樹脂４３２によって封止されている。また、基板４１２の底面に形成された導電性ボール４４２は、基板４１０上の配線パターンに電気的に接続され、集積回路チップ４２０または導電性ボール４４０と電気的に接続される。
【００３９】
図１２のパッケージの構成は、一例であり、ＢＧＡ以外の他のタイプのパッケージ、例えば、SOP（Small Outline Package）、SOJ（Small Outline J-leaded）、QFP（Quad Flat Package）、
PLCC（Plastic leaded chip carrier）などから構成することもできる。さらにパッケージは、表面実装用に限らず、ＰＧＡ、ＤＩＰなどであってもよい。
【００４０】
本実施例のＬＥＤ駆動装置は、その構成要素を１つのパッケージにモジュール化することを１つの特徴とするが、ここでいうモジュール化とは、複数の集積回路チップや電子部品を物理的に１つに集合させることを意味する。ＬＥＤ駆動装置をモジュール化することで、好ましくは、外付けのコンデンサやインダクタを不要とし、ＬＥＤ照明装置の組立を容易にする。また、上記実施例において、特に第２および第３の実施例のように、ＬＥＤランプの駆動電流を制御する場合には、ＬＥＤ駆動装置は、必ずしもモジュール化されていなくてもよい。例えば、第２の実施例では、制御回路１３０Ａの入出力端子からプローブピンなどを用いて直接的に不揮発性メモリのデータの書き換えなどを行うようにしてもよい。
【００４１】
以上、本発明の好ましい実施の形態について詳述したが、本発明は、特定の実施形態に限定されるものではなく、請求項の範囲に記載された本発明の要旨の範囲内において、種々の変形・変更が可能である。
【符号の説明】
【００４２】
１００、１００Ａ：ＬＥＤ駆動装置
１１０：入力インターフェース
１２０：ＡＣ／ＤＣコンバータ
１２２：ダイオードブリッジ
１３０、１３０Ａ：ＤＣ／ＤＣコンバータ
１３２：制御回路
１４０：出力インターフェース
２００：ＬＥＤランプ
３００：パッケージ
３１０；基板
３２０：集積回路チップまたは電子部品
３３０：樹脂
３４０：導電性ボール
４００：パッケージ
４１０、４１２：基板
４２０、４２２：集積回路チップまたは電子部品
４３０、４３２：樹脂
４４０、４４２：導電性ボール
５００：ＬＥＤ照明装置
５１０：電極部
５２０：ガラス封止体
Ｑ１、Ｑ２：トランジスタ
【図１】
2011023440.tif 000003
【図２】
2011023440.tif 000004
【図３】
2011023440.tif 000005
【図４】
2011023440.tif 000006
【図５】
2011023440.tif 000007
【図６】
2011023440.tif 000008
【図７】
2011023440.tif 000009
【図８】
2011023440.tif 000010
【図９】
2011023440.tif 000011
【図１０】
2011023440.tif 000012
【図１１】
2011023440.tif 000013
【図１２】
2011023440.tif 000014